(57)【要約】【課題】  個々の機台の読み取り部分の特性のばらつきを気にしないユーザには、低価格な機台を提供でき、各機台の上記特性のばらつきの吸収の要望ある場合には、この要望も充足し得る画像形成装置を提供する。【解決手段】  γ補正実行時に、不揮発性メモリ１１の所定番地に特定値を書き込む（ＳＴ２）とともに、次にこの所定番地のデータを読み出し（ＳＴ３）、読み出し特定値と書き込み特定値とが同じか否か判定する（ＳＴ４）。同じ場合には不揮発性メモリ１１に記憶したγ補正データを書き込み（ＳＴ５）、このγ補正データを読み出して、機台毎のγ補正に使用する（ＳＴ６）。一方、ＳＴ４で読み出し・書き込みの特定値が同じでないと、共通γ補正データメモリ３ａより、共通γ補正データを読み出し、機種一律のγ補正に使用する（ＳＴ７）。【選択図】      図２
2006115141.tif 000002
【特許請求の範囲】
【請求項１】
機種一律のγ補正データを記憶した第１のγ補正データ記憶手段を備えるとともに、機台個別に調整したγ補正データを記憶する不揮発性記憶手段である第２のγ補正データ記憶手段を搭載可能に構成し、前記第２のγ補正データ記憶手段の搭載の有無を判別する手段と、前記搭載の判別結果に応じて、前記第１のγ補正データ記憶手段に記憶されたγ補正データを用いてγ補正を実行するか、前記第２のγ補正データ記憶手段に記憶されたγ補正データを用いてγ補正を実行するかを選択する制御手段と、を備えたことを特徴とする画像形成装置。
【請求項２】
前記第２のγ補正データ記憶手段の搭載判別手段は、前記第２のγ補正データ記憶手段の所定番地に特定データを書き込み、同所定番地より記憶データを読み出す書き込み・読み出し手段と、書き込みした特定データと読み出したデータとを比較し、比較両データを同一データである場合に、前記台２のγ補正データ記憶手段が搭載されていると判断する手段とからなることを特徴とする請求項１記載の画像形成装置。
【請求項３】
前記第２のγ補正データ記憶手段の所定番地に、特定データを書き込み前に、前記所定番地に記憶のデータを読み出し、他の記憶手段に退避させることを特徴とする請求項１記載の画像形成装置。
【発明の詳細な説明】
【技術分野】
【０００１】
この発明は、ファクシミリ装置、複写機、ファクシミリ機能・複写機能等の多機能を有する画像形成装置、特にγ補正機能に特徴を有する画像形成装置に関する。
【背景技術】
【０００２】
ファクシミリ装置などの画像形成装置では、スキャナなどの画像読取手段の特性がリニアでないと、色、濃度を精度良く再現できないので、再現精度を上げるために、γ（ガンマ）補正を行うようにしている。従来の一般的なγ補正では、予め機種一律にγ補正データを記憶しておき、ユーザが原稿の画像読み取りを行った際に、このγ補正データを用いて行うものであった。
【０００３】
一方、機台毎に段階的に白黒濃度の異なるテストチャートを読み込み、実際にそのテストチャートを読み取った値と、本来の理想とする値との差を求めてγ（ガンマ）補正テーブルを作成し、予めＲＯＭに記憶しておき、通常の原稿の画像読み取り時に、画像処理部でこのγ補正テーブルを用いて、読み取られた原稿の画像読み取り値にγ補正する技術が開示されている（例えば、特許文献１参照）。
【特許文献１】特開平６−２２１４０号公報
【発明の開示】
【発明が解決しようとする課題】
【０００４】
上記した機種一律にγ補正データを記憶しておき、これを用いてγ補正する方法は、生産時に、予め、テストチャートを読み取り、画像出力したときの出力画像が最適となったときのテストチャート実読み取り値と各階調の本来値との差を求めてγ補正テーブルとして機種毎に一律に登録するものであり、個々の機台の画像読み取り部分の特性のばらつきを吸収することができず、画質精度の良い画像形成装置を得ることができないという問題があった。
【０００５】
一方、機台毎の読み取り部分の特性のばらつきを吸収するために全ての機台毎に個別に、γ補正テーブルを作成し、機台毎に独自にγ補正を行う方法では、その機種の機台全てに機台毎のγ補正処理を行うための手段を備える必要があり、その機種の価格を高くするという問題がある。
【０００６】
この発明は上記問題点に着目してなされたものであって、個々の機台の読み取り部分の特性のばらつきを気にしないユーザには、低価格な機台を提供でき、個々の機台の読み取り部分の特性のばらつきがある場合には、これを吸収し得る高精度の画像形成装置の提供を可能とする全体に、上記した両面の要望に応え得る機種としての画像形成装置を提供することを目的としている。
【課題を解決するための手段】
【０００７】
この発明の画像形成装置は、機種一律のγ補正データを記憶した第１のγ補正データ記憶手段を備えるとともに、機台個別に調整したγ補正データを記憶する不揮発性記憶手段である第２のγ補正データ記憶手段を搭載可能に構成し、前記第２のγ補正データ記憶手段の搭載の有無を判別する手段と、前記搭載の判別結果に応じて、前記第１のγ補正データ記憶手段に記憶されたγ補正データを用いてγ補正を実行するか、前記第２のγ補正データ記憶手段に記憶されたγ補正データを用いてγ補正を実行するかを選択する制御手段と、を備えている。
【０００８】
この発明において、前記搭載有無判別手段としては、例えば、前記第２のγ補正データ記憶手段の搭載判別手段は、前記第２のγ補正データ記憶手段の所定番地に特定データを書き込み、同所定番地より記憶データを読み出す書き込み・読み出し手段と、書き込みした特定データと読み出したデータとを比較し、比較両データを同一データである場合に、前記台２のγ補正データ記憶手段が搭載されていると判断する手段とからなるものを使用すると良い。
【０００９】
更に、前記第２のγ補正データ記憶手段の所定番地に、特定データを書き込み前に、前記所定番地に記憶のデータを読み出し、他の記憶手段に退避させることができる。
【発明の効果】
【００１０】
この発明によれば、ユーザが機台固有の特性に応じたγ補正を望まず、低価格の装置の提供を要望する場合はには、機台個別に調整したγ補正データを記憶する不揮発性記憶手段である第２のγ補正データ記憶手段を搭載する必要がないので、低価格装置の提供の要望に応えることができる。また、ユーザが機台固有の特性に応じたγ補正を望み、高精度の装置の提供を要望する場合には、機台個別に調整したγ補正データ記憶手段を搭載するだけで、その要望に応えることができる。
【発明を実施するための最良の形態】
【００１１】
以下、実施の形態により、この発明をさらに詳細に説明する。図１はこの発明の画像形成装置の一実施形態であるファクシミリ装置の構成を示すブロック図である。
【００１２】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、ＣＣＤスキャナ９と、画像処理回路１０と、ＥＥＰＲＯＭ１１と、ＣＯＤＥＣ１２と、プリンタ１３と、バス１４とを備えている。
【００１３】
ＮＣＵ１は、電話回線１５との接続を制御するとともに、相手先の電話番号（＝対応したダイヤル信号）の送出機能、及び着信を検出するための機能を備えている。ＭＯＤＥＭ２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＯＭ３は機種一律（共通）のγ補正テーブルを記憶する共通γ補正テーブルメモリ３ａを有する。
【００１４】
ＲＡＭ４は、ファクシミリ装置に関する各種情報を一時的に記憶する。画像メモリ５は受信画像データやＣＣＤスキャナ９で読み取られた画像データを一時的に記憶する。ＭＰＵ６は、ＲＯＭ３に記憶されたプログラムに従い、装置を構成する各部を制御する。表示部７は、装置からオペレータへの伝達情報等を表示する。操作部８は、テンキー、ＦＡＸキー、ＣＯＰＹキー、スタートキー、ワンタッチキー等の操作スイッチを有する。ＣＣＤスキャナ９は原稿をスキャンして、原稿画像を読み取る。
【００１５】
画像処理回路１０はＣＣＤスキャナ９で読み取った画像データを画像処理する。具体的には、シェーディング補正、γ補正、２値化等の処理を行う。この画像処理回路１０は、ガンマ補正テーブルを記憶するガンマ補正テーブルメモリ１０ａを有する。ＥＥＰＲＯＭ（不揮発性メモリ）１１は、機台個別に調整されたγ補正データを記憶している。このＥＥＰＲＯＭ１１は、機台個別に調整されたγ補正データを書き込むために使用される。ユーザが特に高画質を得たい場合等で、装着の要望があると、図３の（ａ）に示すように、ＥＥＰＲＯＭ１１が回路基板２１に実装される。一方、ユーザが機台個別に調整されたγ補正データでよるγ補正を必要としない場合には、図３の（ｂ）に示すように、ＥＥＰＲＯＭ１１が回路基板２１に実装されない。ＣＯＤＥＣ１２は、送信すべき画データを符号化し、また受信した画像データを復号する。プリンタ１３は、電子写真式のプリンタよりなり、受信画像データやコピー動作において、ＣＣＤスキャナ９で読み取られた原稿の画像データを記録紙上に記録する。
【００１６】
次に、この実施形態において、γ補正データの選択処理について、図２に示すフロー図を参照して説明する。この処理は、原稿画像の読み取り時に、γ補正処理を行う際に、共通γ補正テーブル３ａに記憶の共通γ補正データを使用するか、ＥＥＰＲＯＭ１１に記憶してある機台個別のγ補正データを使用するかの選択を行うための処理である。この処理ルーチンに入ると、先ず、ステップＳＴ１において、不揮発性メモリ（ＥＥＰＲＯＭ）１１のある（特定）番地を読み出し、その番地に記憶されていたデータをＲＡＭ４に記憶する。このＲＡＭ４への記憶は、不揮発性メモリ１１に何らかのデータが元々記憶されていた場合に、これを退避させるためである。次に、ステップＳＴ２へ移行する。
【００１７】
ステップＳＴ２においては、不揮発性メモリ１１のステップＳＴ１で読み出した同じ番地に、特定値を書き込む。次に、ステップＳＴ３へ移行する。ステップＳＴ３においては、不揮発性メモリ１１の上記同一番地に書き込んだデータ（特定値）を読み出す。続いて、ステップＳＴ４へ移行する。
【００１８】
ステップＳＴ４においては、読み出した特定値が書き込んだ特定値と同じか否かを判定する。ここで、もし図３の（ａ）に示すように、回路基板２１上に、不揮発性メモリ１１が搭載（実装）されていると、ステップＳＴ２において、実在する不揮発性メモリ１１に特定値が書き込まれ、更にステップＳＴ３でその特定値が読み出されたことになるので、ステップＳＴ４において、読み出した特定値と書き込んだ特定値が一致することになり、次にステップＳＴ５へ移行する。
【００１９】
一方、もし図３の（ｂ）に示すように、回路基板２１に不揮発性メモリ１１が搭載されていないと、ステップＳＴ２において、実在しない不揮発性メモリ１１に特定値が書き込まれ、更にステップＳＴ３で書き込まれていない特定値が読み出されたことになるので、ステップＳＴ４において、読み出した特定値と書き込んだ特定値が一致せず、この場合は、ステップＳＴ７へ移行する。このステップＳＴ４では，機台個別に調整したγ補正データを記憶した不揮発性メモリ１１が回路基板２１に搭載されているか否かを判定している。不揮発性メモリ１１が搭載されている場合には、次にステップＳＴ５へ移行し、搭載されていない場合は、ステップＳＴ７へ移行する。
【００２０】
ステップＳＴ５においては、不揮発性メモリ１１に記憶したγ補正データを画像処理回路１０のγ補正テーブルメモリ１０ａに書き込む。そして、ステップＳＴ６へ移行する。ステップＳＴ６においては、γ補正テーブル１０ａに書き込まれた不揮発性メモリ１１に格納されていたγ補正データを読み出し、このデータを使用して、γ補正処理を行う。
【００２１】
ステップＳＴ７においては、ＲＯＭ３に記憶されているその機種共通のγ補正データを読み出し、これを使用してγ補正処理を行う。
【図面の簡単な説明】
【００２２】
【図１】この発明の一実施形態であるファクシミリ装置の構成を示すブロック図である。
【図２】同実施形態ファクシミリ装置におけるγ補正値データの選択処理を説明するフロー図である。
【図３】同実施形態ファクシミリ装置の不揮発性メモリの搭載、不搭載を説明する図である。
【符号の説明】
【００２３】
１        ＮＣＵ
２        ＭＯＤＥＭ
３        ＲＯＭ
３ａ      共通γ補正テーブル
４        ＲＡＭ
５        画像メモリ
６        ＭＰＵ
７        表示部
８        操作部
９        ＣＣＤスキャナ
１０      画像処理回路
１０ａ    γ補正テーブル
１１      ＥＥＰＲＯＭ
１２      ＣＯＤＥＣ
１３      プリンタ
１４      バス
２１      回路基板
【図１】
2006115141.tif 000003
【図２】
2006115141.tif 000004
【図３】
2006115141.tif 000005